(57)【要約】【課題】既設及び新設の両方の墓石に対応でき、据え付け工事が簡単で、所望の免震効果を発揮できる墓石の免震装置及び該免震装置を備えた墓石を提供すること。【解決手段】免震装置２５は、墓石１、７１の基台部３側に設けられる下部架台３１と、基台部３の上に設置される墓石１、７１の本体部５側に設けられる上枠３３との間に設けられており、墓石１、７１の本体部５を水平方向に摺動させるスライド機構３９と、墓石１、７１の本体部５の基台部３に対する相対位置を当初の位置に復元させるバネ手段４１とを備えている。またこの免震装置２５を新設の墓石１に適用する場合には受け金物２９を使用し、既設の墓石７１に適用する場合には、受け金枠７５と支持構造７３を使用した。【選択図】        図２
2006063657.tif 000002
【特許請求の範囲】
【請求項１】
基台部と基台部の上に設置される墓石の本体部から成る墓石の一部に組み込んで設置される墓石の免震装置において、前記本体部を水平方向に摺動させるスライド機構と、弾性変形することにより振動を吸収し且つ本体部の基台部に対する相対位置を当初の位置に戻す付勢力を発生するバネ手段とを備えていることを特徴とする墓石の免震装置。
【請求項２】
請求項１に記載した墓石の免震装置において、スライド機構は基台部側に設けられる滑り板と、滑り板の上面に摺接し、本体部側に設けられる滑り材とを備えていることを特徴とする墓石の免震装置。
【請求項３】
請求項１または２に記載した墓石の免震装置において、バネ手段は一端が基台部側に接続され、他端が本体部側に接続された複数本の引張りコイルバネを平面視において十字形状に張設することによって構成されていることを特徴とする墓石の免震装置。
【請求項４】
請求項１〜３のいずれかに記載した墓石の免震装置において、本体部側に取り付けられる載置板と、載置板の下面に取り付けられる上部バネ取付板と、基台部側に取り付けられる下部バネ取付板とを備え、前記スライド機構とバネ手段は前記上部バネ取付板と下部バネ取付板との間に配設されていることを特徴とする墓石の免震装置。
【請求項５】
基台部の上に本体部を設置することによって構成されている墓石において、基台部と本体部との間には請求項１〜４のいずれかに記載の墓石の免震装置が設けられていることを特徴とする免震装置を備えた墓石。
【請求項６】
請求項５に記載した免震装置を備えた墓石において、基台部には免震装置を支持するための受け金物が取り付けられていることを特徴とする免震装置を備えた墓石。
【請求項７】
請求項５に記載した免震装置を備えた墓石において、基台部の内部空間には、下部架台を支持するための受け金枠と、受け金枠を支持するための支持構造とが設けられていることを特徴とする免震装置を備えた墓石。
【請求項８】
請求項７に記載した免震装置を備えた墓石において、支持構造は、基台部の内部空間底面に埋設される複数本の杭と、杭の上方に立ち上げられる複数本の脚柱と、隣接する脚柱間を連絡する複数本の補強ブレースとを備えていることを特徴とする免震装置を備えた墓石。
【請求項９】
請求項８に記載した免震装置を備えた墓石において、脚柱の取付角度を可変して受け金枠の設置高さ及び水平方向の位置を調整する受け金枠調整手段を具備したことを特徴とする免震装置を備えた墓石。
【請求項１０】
請求項５〜９のいずれかに記載した免震装置を備えた墓石において、免震装置のスライド機構及びバネ手段が収容されている空間を密閉するシール部材が設けられていることを特徴とする免震装置を備えた墓石。
【請求項１１】
請求項５〜１０のいずれかに記載した免震装置を備えた墓石において、本体部が摺動する際に、免震装置と基台部とが接触するのを防止する緩衝材を備えたことを特徴とする免震装置を備えた墓石。
【発明の詳細な説明】
【技術分野】
【０００１】
本発明は、地震等による墓石の倒壊を防ぐために墓石の一部に組み込んで設置される墓石の免震装置及び該免震装置を備えた墓石に関するものである。
【背景技術】
【０００２】
墓石は所望の形状、大きさに切断され、表面が研磨された種々の石を組み上げるだけの簡単な構成によって据え付けられている。これらの石は比較的重量が重く、雨や風に曝されていても位置ずれや倒壊等のおそれはほとんどない。
しかし地震等によって強い振動を受けた場合には、上記のような簡単な構成に起因して基台部上に載置される墓石本体部が移動したり、傾いたりすることが予想され、上記墓石の位置ずれや倒壊等が生じ得る。
特に地震の多い我国にあっては、地震による墓石の位置ずれや倒壊を防ぐ免震装置等の必要性は高く、既設及び新設の両方の墓石に対応できる墓石用の免震装置の開発が望まれていた。
【発明の開示】
【発明が解決しようとする課題】
【０００３】
本発明は、上記の背景技術及び背景技術が抱えていた問題点の存在を踏まえてなされたものであって、既設及び新設の両方の墓石に対応でき、据え付け工事が簡単で、所望の免震効果を発揮できる墓石の免震装置及び該免震装置を備えた墓石を提供することを課題とするものである。
【課題を解決するための手段】
【０００４】
上記課題を解決するために請求項１に記載した発明は、基台部と基台部の上に設置される墓石の本体部から成る墓石の一部に組み込んで設置される墓石の免震装置において、前記本体部を水平方向に摺動させるスライド機構と、弾性変形することにより振動を吸収し且つ本体部の基台部に対する相対位置を当初の位置に戻す付勢力を発生するバネ手段とを備えていることを特徴とする墓石の免震装置である。
【０００５】
請求項２に記載した発明は、請求項１に記載した墓石の免震装置において、スライド機構は基台部側に設けられる滑り板と、滑り板の上面に摺接し、本体部側に設けられる滑り材とを備えていることを特徴とする墓石の免震装置である。
【０００６】
請求項３に記載した発明は、請求項１または２に記載した墓石の免震装置において、バネ手段は一端が基台部側に接続され、他端が本体部側に接続された複数本の引張りコイルバネを平面視において十字形状に張設することによって構成されていることを特徴とする墓石の免震装置である。
【０００７】
請求項４に記載した発明は、請求項１〜３のいずれかに記載した墓石の免震装置において、本体部側に取り付けられる載置板と、載置板の下面に取り付けられる上部バネ取付板と、基台部側に取り付けられる下部バネ取付板とを備え、前記スライド機構とバネ手段は前記上部バネ取付板と下部バネ取付板との間に配設されていることを特徴とする墓石の免震装置である。
【０００８】
請求項５に記載した発明は、基台部の上に本体部を設置することによって構成されている墓石において、基台部と本体部との間には請求項１〜４のいずれかに記載の墓石の免震装置が設けられていることを特徴とする免震装置を備えた墓石である。
【０００９】
請求項６に記載した発明は、請求項５に記載した免震装置を備えた墓石において、基台部には免震装置を支持するための受け金物が取り付けられていることを特徴とする免震装置を備えた墓石である。
【００１０】
請求項７に記載した発明は、請求項５に記載した免震装置を備えた墓石において、基台部の内部空間には、免震装置を支持するための受け金枠と、受け金枠を支持するための支持構造とが設けられていることを特徴とする免震装置を備えた墓石である。
【００１１】
請求項８に記載した発明は、請求項７に記載した免震装置を備えた墓石において、支持構造は、基台部の内部空間底面に埋設される複数本の杭と、杭の上方に立ち上げられる複数本の脚柱と、隣接する脚柱間を連絡する複数本の補強ブレースとを備えていることを特徴とする免震装置を備えた墓石である。
【００１２】
請求項９に記載した発明は、請求項８に記載した免震装置を備えた墓石において、脚柱の取付角度を可変して受け金枠の設置高さ及び水平方向の位置を調整する受け金枠調整手段を具備したことを特徴とする免震装置を備えた墓石である。
【００１３】
請求項１０に記載した発明は、請求項５〜９のいずれかに記載した免震装置を備えた墓石において、免震装置のスライド機構及びバネ手段が収容されている空間を密閉するシール部材が設けられていることを特徴とする免震装置を備えた墓石である。
【００１４】
請求項１１に記載した発明は、請求項５〜１０のいずれかに記載した免震装置を備えた墓石において、本体部が摺動する際に、免震装置と基台部とが接触するのを防止する緩衝材を備えたことを特徴とする免震装置を備えた墓石である。
【発明の効果】
【００１５】
本発明の墓石の免震装置によれば、墓石の基台部が地震等によって地面といっしょに振動したとしても、バネ手段が弾性変形することにより振動を吸収し、本体部が振動するのを抑えることができ、墓石の本体部の位置ずれや基台部からの落下等に伴う墓石の倒壊等が防止される。さらに、振動が止まれば、本体部はバネ手段の付勢力によって当初の位置に戻る。
また、既設と新設の両方の墓石に免震装置を取り付けることが可能となる。
【発明を実施するための最良の形態】
【００１６】
以下、下記に示す実施例１と実施例２を例にとって、本発明に係る墓石の免震装置及び該免震装置を備えた墓石の構成及び免震装置の作動態様と併せて墓石の据え付け手順について説明する。
実施例１では新たに墓石を据え付ける場合に適用できる墓石の構成と、基本的な免震装置の構成について説明し、実施例２では既設の墓石に免震装置を取り付ける場合の構成を説明する。
【実施例１】
【００１７】
実施例１に係る墓石１は、図１に示すように基台部３の上に本体部５を設置することによって構成されている。基台部３は、墓地の地面を掘削して載置されるベース７２と、このベース７２上に載置される根石７と、根石７上に載置される中石９と、中石９上に載置される均石１１とを矩形台状に組み上げることによって構成されている。
本体部５は、後述する本発明の免震装置２５を介して上述の基台部３上に設置される芝台１３と、芝台１３上に設置される中台１５と、中台１５の手前側の開口部を塞ぐように芝台１３上に設置される水鉢１７と、水鉢１７を挟むようにその左右の芝台１３上に設置される花立１９と、中台１５上に設置される上台２１と、上台２１上に設置される竿石２３とを組み上げることによって構成されている。
【００１８】
基台部３の内部空間２７内には、中石９の内壁面を利用して中石９と均石１１との境界部位に受け金物２９が対向する位置に２本設けられている。そしてこの受け金物２９上には下部架台３１が載置され、下部架台３１上に設置される免震装置２５の上面、芝台１３の内部には上枠３３が設置されている。
【００１９】
受け金物２９は、下部架台３１を支持するための部材であり、図１、４等に示すように断面Ｌ字状の型鋼（以下アングル材という）を適宜の長さに切断したものである。また受け金物２９は上下逆向きで設けられ、中石９の内壁面にボルト３５によって受け金物２９は固定されている。
受け金物２９の穴には雄ネジシャフト６２が挿通され、受け金物２９を挟んで雄ネジシャフト６２に螺合されたナット６４によって固定されている。雄ネジシャフト６２は受け金物２９の上面から突出している。
【００２０】
下部架台３１は２本ずつ長さの違う計４本のアングル材を矩形枠状に溶接等によって接合して組み立て、更に２本長尺なアングル材を用意して組み立てた矩形枠状のアングル材における短寸側の胴部を左右対称となるよう適宜の間隔を空けて貫くように設けることによって形成されている。下部架台３１の幅寸法と奥行寸法は基台部３の内部空間２７の幅寸法と奥行寸法より僅かに小さく、下部架台３１の高さ寸法は、均石１１の高さ寸法の３分の２くらいの高さに設定されている。
また、下部架台３１の穴には受け金物２９に固定されている雄ネジシャフト６２が挿通されており、下部架台３１は雄ネジシャフト６２に螺合するナット６４によって受け金物２９に取り付けられている。
【００２１】
上枠３３は、４本のアングル材を平面視正方形状に配設し、溶接等によって接合して組み立てたものである。上枠３３は図３、４に示すように芝台１３の内壁面及び次に述べる本発明の免震装置２５における載置板３７にボルト３５を使用して固定されている。
上枠３３の幅寸法と奥行寸法は芝台１３の内法寸法に合わせ、上枠３３の高さ寸法は芝台１３の高さ寸法の３分の２くらいの高さに設定されている。
【００２２】
本発明の墓石の免震装置２５は上述したように基台部３に固定される下部架台３１と本体部５に固定される上枠３３との間に設けられている。従って、免震装置２５は墓石１の一部に組み込まれて設置される。
この免震装置２５にはスライド機構３９とバネ手段４１とが備えられている。また免震装置２５には、上枠３３の下面に取り付けられる上述の載置板３７と、載置板３７の下面に取り付けられる上部バネ取付板４３と、下部架台３１の上面に取り付けられる下部バネ取付板４５とが設けられており、スライド機構３９とバネ手段４１は、上部バネ取付板４３と下部バネ取付板４５との間に配設されている。従って、載置板３７は本体部５側に備えられ、下部バネ取付板４５は基台部３側に備えられる。
【００２３】
載置板３７は墓石１の本体部５が直接載置される矩形平板状の部材であり、その幅寸法と奥行寸法は基台部３の内部空間２７の幅寸法と奥行寸法とほぼ同一の寸法に設定されている。載置板３７の載置面は均石１１の上面より僅かに高くなるように設置高さが設定されている。
【００２４】
上部バネ取付板４３は、上記載置板３７より幅寸法と奥行寸法が小さく、厚さが載置板３７より肉厚の矩形平板状の部材である。上部バネ取付板４３の中央には幅方向及び奥行方向にそれぞれ３つずつ計９個のネジ穴５１が平面視正方形状に配列されている。
また上部バネ取付板４３の各コーナー部の下面には矩形平板状のスペーサ５３を介してホルダ５５が４つ設けられている。ホルダ５５には滑り材６１が貼設されている。この滑り材６１としてはＰＴＦＥ（フッ化エチレン樹脂）等の滑り特性の優れた材料が適用できる。
【００２５】
ネジ穴５１には下方からバネ係止ボルト５９が螺合しており、このバネ係止ボルト５９の軸部に引張りコイルバネ５７の内側端部のフックが係止されるようになっている。
上記載置板３７は下部バネ取付板４５より幅寸法と奥行寸法が一回り小さく形成されている。また、下部バネ取付板４５は上記下部架台３１より幅寸法と奥行寸法が僅かに大きな矩形平板状の部材である。
【００２６】
下部バネ取付板４５の厚さは上部バネ取付板４３と同様肉厚に構成されており、下部バネ取付板４５の各側縁寄りの中央部にはそれぞれ３つずつ計１２個のネジ穴６３が刻設されている。ネジ穴６３には上方から１０本バネ係止ボルト５９が螺合しており、このバネ係止ボルト５９と２本の雄ネジシャフト６２の軸部に引張りコイルバネ５７の外側端部のフックが係止されるようになっている。雄ネジシャフト６２は下部バネ取付板４５と滑り板６５を貫通し、その上端部が滑り板６５から突出している。そして、雄ネジシャフト６２に螺合するナット６４によって、下部バネ取付板４５及び滑り板６５と受け金物２９及び下部架台３１とが連結固定されている。さらに雄ネジシャフト６２の滑り板６５から突出する部分に引張りコイルバネ５７の外側端部のフックが係止され、雄ネジシャフト６２の上端部に螺合する２つのナット６４によって前記フックが外れるのを規制している。
従って、引張りコイルバネ５７は全部で１２本設けられており、これらが３本ずつ組になって図３に示すように平面視十字形状となるように張設されている。
【００２７】
また下部バネ取付板４５の上面には、滑り板６５が貼設されている。滑り板６５は、幅寸法と奥行寸法が下部バネ取付板４５とほぼ同じで厚さが下部バネ取付板４５より肉薄の矩形平板状の部材である。
滑り板６５としては、ステンレススチール製の板が適用でき、滑り板６５の上面にはホルダ５５の下面に貼設されている滑り材６１が摺接するようになっている。
本実施例では、上記滑り板６５と滑り材６１から成る滑り支承によってスライド機構３９が構成されており、上部バネ取付板４３と下部バネ取付板４５との間に張設されている引張りコイルバネ５７によってバネ手段４１が構成されている。
【００２８】
また、均石１１の前後左右の内側面には、合成ゴム等の弾性材料によって構成される緩衝材１２０が貼設されており、この緩衝材１２０は免震装置２５の上部バネ取付板４３、スペーサ５３、ホルダ５５及び滑り材６１に対向する位置に備えられている。即ち、緩衝材１２０は上部バネ取付板４３、スペーサ５３、ホルダ５５及び滑り材６１を囲むように配置されている。
【００２９】
均石１１と芝石１３との間に形成される間隙部４７を埋めるシール部材４９が設けられ、さらに均石１１の内側面と下バネ取付板４５及び滑り板６５との間に形成される間隙部４７を埋めるシール部材４９が設けられている。
シール部材４９によって免震装置２５のスライド機構３９及びバネ手段４１等が収容されている空間２７を密閉して雨水等が侵入するのを防ぎ、空間内７０に配置されている部材の腐食を防止する。さらに内部空間７０へも雨水等が侵入するのが防止されるので、受け金物２９や下部架台３１等が腐食するのも防止することができる。
【００３０】
次に本実施例に係る墓石１の据え付けの手順と併せて本発明の免震装置２５に地震等によって水平方向の振動が作用した場合の作動態様について説明する。
（１）ベースの形成と根石の載置（図５（ａ）、（ｂ）参照）
最初に地面Ｇを掘り、図示しない型枠を設けて、この型枠内にコンクリートを流し込んで、図５（ａ）に示すようにベース７２を形成する。このベース７２は中央に四角形の穴がある長方形の板状に形成されており、その上面が地面とほぼ同じ高さの水平面になっている。
次いで、図５（ｂ）に示すようにベース７２上に角棒状の根石７を井桁状に組んで載置する。
【００３１】
（２）中石及び均石の設置と接合金物及び受け金物の取り付け（図６（ａ）、（ｂ）参照）
図６（ａ）に示すように根石７の上面に中石９を設置する。中石９は根石７より高さ寸法の大きな直方体状の部材である。
中石９の上面に均石１１を設置する。均石１１は角棒状の部材であり、内側面に緩衝材１２０が貼設されている。緩衝材１２０は均石１１の互いに接合する部分を除いた領域に備えられている。
そして図６（ｂ）に示すように根石７とその上方の中石９、中石９とその上方の均石１１を断面Ｌ字形の接合金物６７を使用して固定する。
次に中石９と均石１１の境界に上面が位置するように断面Ｌ字形の受け金物２９を上下逆にした状態でボルト３５によって中石９の内壁面上部に取り付ける。受け金物２９の穴に雄ネジシャフト６２が通されており、雄ネジシャフト６２に螺合し受け金物２９を挟んで配置されるナット６４によって、雄ネジシャフト６２が受け金物２９に固定されている。雄ネジシャフト６２は受け金物２９の上面から上方へ向かって真っ直ぐに延びる状態に取り付けられる。
【００３２】
（３）免震装置の設置と芝台の設置（図７（ａ）、（ｂ）参照）
次に残りの中石９を前面部に設置し、上記受け金物２９の上面に図７（ａ）に示すように、矩形枠部を横にした状態で下部架台３１を載置して、さらに下部架台３１の上に免震装置２５及び免震装置２５にボルト３５で固定された上枠３３を設置する。このとき、受け金物２９に固定されている雄ネジシャフト６２を下部バネ取付板４５及び滑り板６５の穴に通し、雄ネジシャフト６２の上端部を滑り板６５の上面から突出させる。そして、この雄ネジシャフト６２の突出部分にナット６４を螺合させ滑り板６５の上面に当接させて、免震装置２５を受け金物２９に固定する。
【００３３】
なお、免震装置２５における載置板３７は均石１１の上面より僅かに高くなるように取付位置が設定される。
前記したように載置板３７は下部バネ取付板４５より幅寸法と奥行寸法が一回り小さく形成されているので、均石１１の内側面との間に隙間が形成されることになる。この隙間から手や工具を入れて、均石１１の内側面と下バネ取付板４５及び滑り板６５との間に形成される間隙部４７を埋めるシール部材４９を備える。
また、均石１１の内側面との間の隙間から手や工具を入れて、雄ネジシャフト６２の滑り板６５から突出する部分に引張りコイルバネ５７の外側端部のフックを係止させ、雄ネジシャフト６２の上端部に２つのナット６４を取り付ける。
次に、上枠３３の周りに上枠３３を取り囲むように角棒状の芝台１３を設置してボルト３５によって固定する。
【００３４】
（４）中台の設置と水鉢の設置（図８（ａ）、（ｂ）参照）
芝台１３を設置した後、均石１１と芝台１３との間に形成される間隙部をシール部材４９によって埋める。
次に芝台１３の上面に芝台１３より高さ寸法の大きな直方体状の中台１５を設置する。中台１５は前面を除く左右の側面と背面に対して設置され、その前面部には水鉢１７が幾分手前側に突出した状態で設置される。
【００３５】
（６）花立及び上台の設置と竿石の設置（図９（ａ）、（ｂ）参照）
次に水鉢１７の左右に花立１９を設置し、中台１５の上面に上台２１を設置する。上台２１は短寸の角柱状の部材である。
そして最後に上台２１の上面に長寸の竿石２３を設置すれば墓石１の組み立てが完了する。
地震等による振動が発生していない状態おいては、バネ手段４１は弾性変形しておらず、本体部５は基台部３に対する正しい位置（当初の位置）に保たれている。
【００３６】
（７）水平振動時の免震装置の作動態様
地震等によって墓地の地面Ｇが水平方向に振動すると、地面Ｇ上に載置されているベース７２、根石７とその上方の中石９及び均石１１を含む基台部３も同じように振動する。基台部３の振動はバネ手段４１によって吸収され、本体部５には伝達されず、あるいは減衰されて極めて弱い振動になって伝達される。従って、本体部５の倒壊等が防止される。
本体部５の振幅がある程度の大きさになっても、緩衝材１２０が設けられているので、上部バネ取付板４３、スペーサ５３、ホルダ５５及び滑り材６１が均石１１に直に接触するのを防ぐことができ、緩衝材１２０によって衝撃が吸収されるので、均石１１が破損するのを防止することができる。
【００３７】
また、本体部５は基台部３に対する相対位置が一時的にずれたとしても、弾性変形したバネ手段４１の付勢力によって最終的に当初の位置に戻る。即ち、バネ手段４１は本体部５の基台部３に対する相対位置を当初の位置近くに戻す付勢力を発生する。
【実施例２】
【００３８】
実施例２に係る墓石７１は既存の墓石に本発明に係る免震装置２５を組み込むことによって免震機能を奏するように構成したものである。
具体的には、基台部３上に設置されている本体部５を一旦取り外し、基台部３の内部空間２７内に支持構造７３を構築して受け金枠７５を支持させる。
そして、受け金枠７５上に本発明免震装置２５を設置し、上述と同様の手順で本体部５を構成する芝台１３、中台１５、水鉢１７、花立１９、上台２１及び竿石２３を設置することで実施例２に係る墓石７１の組み立て、そして据え付けが完了する。
【００３９】
従って、基本的には、実施例１に係る墓石１と同様の構成を有しており、受け金物２９に代えて受け金枠７５と支持構造７３が設けられている点において実施例２に係る墓石７１は相違している。
ここでは実施例２に係る墓石７１の特有の構成である受け金枠７５と支持構造７３に絞って説明する。
【００４０】
受け金枠７５は４本のアングル材を上下逆にして井桁状に組み合わせ、溶接等によって枠形状に接合したものである。受け金枠７５は受け金物２９と同様、下部架台３１を支持するための部材である。
支持構造７３は、図１０あるいは図１１に拡大して示すように基台部３の内部空間２７の底面である地面Ｇに埋設される４本の杭７７と、杭７７の上方に立ち上げられる４本の脚柱７９と、隣接する脚柱７９間を連結する複数本の補強ブレース８１とを備えている。
【００４１】
杭７７は、中央上部に内部に雌ネジが刻設されたスリーブ８３を有し、このスリーブ８３には、放射状に４枚の翼片８５が一体に取り付けられており、各翼片８５の先端は中心下方に向けて斜めにカットされていて地面Ｇに突き刺し易い形状になっている。この杭７７のスリーブ８３の雌ネジ８３には、雄ネジシャフト８６が螺合され、さらに雄ネジシャフト８６に螺合する取付ナット９６によって、雄ネジシャフト８６は杭７７に固定されている。また雄ネジシャフト８６には上方に向かって球面状に湾曲する支持円盤８８が通されており、この支持円盤８８は雄ネジシャフト８６に螺合する取付ナット９５によって下方への移動が規制されている。
【００４２】
脚柱７９は胴部をアングル材によって形成し、その上下の端面に取付面８７ａ、８７ｂを溶接等によって一体に取り付けたものであり、取付面８７ａ、８７ｂの中央の頂部にはそれぞれ取付穴８９が形成されている。上側の取付面８７ａは少なくとも上面が球面状に形成され、また下側の取付面８７ｂは少なくとも下面が支持円盤８８と同じ曲率を有する球面状に形成されている。
下側の取付面８７ｂの取付穴８９には、雄ネジシャフト８６が通されており、下側の取付面８７ｂの下面と支持円盤８８の上面とが接合している。そして、座金９３が雄ネジシャフト８６に通され、雄ネジシャフト８６に螺合する調整ナット９７によって、脚柱７９が杭７７に取り付けられている。上方の取付面８７ａは、取付ボルト９１、座金９３及び取付ナット９７を使用して受け金枠７５に取り付けられる。
【００４３】
取付面８７ａ、８７ｂの頂部に形成されている取付穴８９の内径は取付ボルト９１の軸部の外径より大きめに形成されており、取付面８７ａ、８７ｂの球面形状、さらに支持円盤８８の球面形状と相俟って、脚柱７９は取付角度及び高さを変えることができ、これによって受け金枠７５の設置高さ（垂直方向の位置）及び水平方向の位置を調整し得るようになっている。
座金９３は、取付面８７ａの下面側及び８７ｂの上面側の凹陥部に宛がわれる部材で取付面８７ａ、８７ｂと同様の曲率半径を有する球面形状に湾曲されている。
【００４４】
調整ナット９７は取付ボルト９５の杭７７に対する螺合量を調整したい場合に使用されるナットで、主に受け金枠７５の水平方向の位置の調整等、微妙な受け金枠７５の高さ調整の際に使用される。
脚柱７９の胴部の上端及び下端寄りには、補強ブレース８１の両端部に設けられているフックが係止される係止穴９９が形成されている。
【００４５】
補強ブレース８１は、隣接する脚柱７９間をＸ字状に交差して連結する部材で脚柱７９の立設状態を維持するための筋交いとして機能する。補強ブレース８１の途中には補強ブレース８１の張設長さを調整し得る内部に雌ネジが刻設された調整スリーブ１０１が設けられている。また補強ブレース８１は４本の脚柱７９に対して２本ずつ計８本設けられている。
【００４６】
このようにして構成される支持構造７３と受け金枠７５を設置する場合には、基台部３から本体部５を取り外した後、基台部３の内部空間２７における底面の地面Ｇに杭７７を突き刺すための穴部１０３を内部空間２７における底面の角隅部周辺に４つ形成する。
そして、それぞれの穴部１０３に杭７７を上方から突き刺し、穴部１０３内に上方からモルタル１０５を充填し養生、固化させる。
【００４７】
次にそれぞれの杭７７に対して脚柱７９を取り付け、更に補強ブレース８１及び受け金枠７５を取り付ける。そして取付面８７における杭７７あるいは受け金枠７５に対する取付位置をずらすことによって脚柱７９の取付角度を変え、更に調整ナット９５の固定位置を調整することによって受け金枠７５の高さ及び水平方向の位置の調整を行う。このように受け金枠７５の高さ及び水平方向の位置を調整することにより、免震装置２５を適切な位置に取り付けることができるようにする。
そして、実施例１に係る墓石１と同様の手順で、免震装置２５を設置し、載置板３７上に本体部５を組み上げ、芝台１３と均石１１の上面との間の間隙部４７にシール部材４９を充填すれば実施例２に係る墓石７１の組み立て及び据え付けが完了する。
【００４８】
以上、本発明を実施するための最良の形態、その具体的実施例について詳述してきたが、具体的な構成はこれらの形態や実施例に限られるものではなく、本発明の要旨を逸脱しない範囲内における設計の変更などがあっても本発明に含まれる。
例えば、免震装置２５を除く、墓石１、７１の構成は前述の実施例のものに限らず種々の構成が採用可能である。また本発明の免震装置２５は、墓石だけに限定されるものではなく、石碑や石燈籠等に適用することも可能である。
【００４９】
バネ手段４１は前記引張りコイルバネ５７に限らず、弾性を有する合成樹脂、油圧ダンパー等、種々の構成が採用可能である。
上記実施例では、スライド機構を滑り板６５と滑り材６１から成る滑り支承によって構成したが、本発明はこれに限定されず、滑り板と鋼製のボール等との組み合わせによって構成してもよい。
また、緩衝材１２０を均石１１に備えたが、本発明はこれに限定されず、緩衝材１２０を免震装置２５の上部バネ取付板４３、スペーサ５３、ホルダ５５及び滑り材６１の周面に備えてもよく、また均石１１側と免震装置２５側の両方に備えてもよい。
なお、上記実施例では雄ネジシャフト６２を左右１本ずつ合計２本備えるようにしたが、これに限定されるものではなく、左右２本ずつ合計４本或いはこれ以上の本数でもよいのは勿論である。また、引張りコイルバネ５７も１２本に限定されるものではなく、１２本より少ない本数或いは多い本数であってもよい。
【図面の簡単な説明】
【００５０】
【図１】本発明の実施例１に係る墓石において、免震装置と基台部を破断して示す正面図である。
【図２】本発明に係る免震装置を分解して示す斜視図である。
【図３】本発明に係る免震装置を示す平面図である。
【図４】本発明に係る免震装置を示す縦断面図である。
【図５】本発明の実施例１に係る墓石の組立て手順を示す説明図であって、ベースの形成と根石の載置の様子を示す斜視図である。
【図６】同上、中石及び均石の設置と接合金物及び受け金物の取り付けの様子を示す斜視図である。
【図７】同上、免震装置の設置と芝台の設置の様子を示す斜視図である。
【図８】同上、中台の設置と水鉢の設置の様子を示す斜視図である。
【図９】同上、花立及び上台の設置と竿石の設置の様子を示す斜視図である。
【図１０】本発明の実施例２に係る墓石において、免震装置と基台部を破断して示す正面図である。
【図１１】本発明の実施例２に係る墓石に設けられる受け金枠と支持構造を分解して示す斜視図である。
【符号の説明】
【００５１】
１  墓石      ３  基台部      ５  本体部      ７  根石      ９  中石
１１  均石      １３  芝台      １５  中台      １７  水鉢
１９  花立      ２１  上台      ２３  竿石      
２５  （墓石の）免震装置      ２７  内部空間
２９  受け金物      ３１  下部架台      ３３  上枠
３５  ボルト      ３７  載置板      ３９  スライド機構
４１  バネ手段      ４３  上部バネ取付板      ４５  下部バネ取付板
４７  間隙部      ４９  シール部材      ５１  ネジ穴
５３  スペーサ      ５５  ホルダ      ５７  引張りコイルバネ
５９  バネ係止ボルト      ６１  滑り材      ６３  ネジ穴
６２  雄ネジシャフト      ６４      ナット      ７０  空間
６５  滑り板      ６７  接合金物
７１    墓石      ７２  ベース      ７３  支持構造
７５  受け金枠      ７７  杭      ７９  脚柱
８６  雄ネジシャフト      ８８  支持円盤
８１  補強ブレース      ８３  スリーブ      ８５  翼片
８７ａ、８７ｂ  取付面      ８８  支持円盤      
８９  取付穴      ９１  取付ボルト      ９３  座金
９５  調整ナット      ９７  取付ナット      ９９  係止穴
１０１  調整スリーブ      １０３  穴部      １０５  モルタル
１２０  緩衝材      Ｇ  地面
【図１】
2006063657.tif 000003
【図２】
2006063657.tif 000004
【図３】
2006063657.tif 000005
【図４】
2006063657.tif 000006
【図５】
2006063657.tif 000007
【図６】
2006063657.tif 000008
【図７】
2006063657.tif 000009
【図８】
2006063657.tif 000010
【図９】
2006063657.tif 000011
【図１０】
2006063657.tif 000012
【図１１】
2006063657.tif 000013